【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
仮想的な３次元バーチャル空間を用いたコンテンツを視聴用端末へ配信して視聴に供する、３次元コンテンツ配信システムであって、
（Ａ）前記３次元バーチャル空間に配置された各バーチャルオブジェクトの仕様に関する第１のデータ、および（Ｂ）当該各バーチャルオブジェクトの動作に関する第２のデータを少なくとも含んだコンテンツデータを記録する記録部と、
前記視聴用端末が視聴を行うための要求に応じて、少なくとも前記第１のデータおよび前記第２のデータを含んだデータを送信する第１の送信部と、
前記送信されたデータを受信して、視聴者が前記コンテンツを視聴しつつ自分の分身であるアバターを当該コンテンツに投入するために、前記アバターに所望の動作をさせるために前記視聴者の身体各所の動きをセンシングした結果による前記身体各所の動きを含むモーションデータとして操作部で生成された前記第２のデータを少なくとも含むデータを前記記録部へ送信する第２の送信部と、
を備えた３次元コンテンツ配信システム。
【請求項２】
仮想的な３次元バーチャル空間を用いたコンテンツを視聴用端末へ配信して視聴に供する、コンテンツ配信システムであって、
（Ａ）前記３次元バーチャル空間に配置された各バーチャルオブジェクトの仕様に関する第１のデータ、および（Ｂ）当該各バーチャルオブジェクトの動作に関する第２のデータを少なくとも含んだコンテンツデータを記録する記録部と、
前記視聴用端末が視聴を行うための要求に応じて、少なくとも前記第１のデータおよび前記第２のデータを含んだデータを送信する第１の送信部と、
前記送信されたデータを受信して、視聴者が前記コンテンツを視聴しつつ自分の分身であるアバターを当該コンテンツに投入するために、前記アバターに所望の動作をさせるために前記視聴者の身体各所の動きをセンシングした結果による前記身体各所の動きを含むモーションデータとして操作部で生成された前記第２のデータを少なくとも含むデータを前記記録部へ送信する第２の送信部と、
を備えるとともに、前記記録部は、前記第２の送信部が送信したデータに基づいて前記コンテンツデータを改変した新たなコンテンツデータを記録するよう構成された３次元コンテンツ配信システム。
【請求項３】
前記記録部がさらに、（Ｃ）前記３次元バーチャル空間に配置された仮想的カメラの視点に関する第３のデータを記録するよう構成された、請求項１または２に記載の３次元コンテンツ配信システム。
【請求項４】
前記視聴を行っている視聴用端末からの変更要求に応じて前記第１のデータ、および前記第２のデータの内の少なくともいずれかを追加または修正し変更を行って新たなコンテンツデータを生成し、以後の前記視聴に供する変更受付部を備えた請求項１乃至３のいずれか１項に記載の３次元コンテンツ配信システム。
【請求項５】
前記視聴を行っている視聴用端末からの変更要求に応じて前記第１のデータ、および前記第２のデータの内の少なくともいずれかを追加または修正し変更を行って新たなコンテンツデータを生成し、以後の前記視聴に供する変更受付部を備え、
前記変更受付部はさらに、前記第３のデータを追加または修正する変更を行って新たなコンテンツデータを生成し、以後の前記視聴に供するよう構成された、請求項３に記載の３次元コンテンツ配信システム。
【請求項６】
仮想的な３次元バーチャル空間を用いたコンテンツを視聴用端末へ配信して視聴に供する、３次元コンテンツ配信方法であって、
（Ａ）前記３次元バーチャル空間に配置された各バーチャルオブジェクトの仕様に関する第１のデータ、および（Ｂ）当該バーチャルオブジェクトの動作に関する第２のデータを少なくとも含んだコンテンツデータを記録部に記録する記録ステップと、
前記視聴用端末が視聴を行うための要求に応じて、少なくとも前記第１のデータおよび前記第２のデータを含んだデータを送信する第１の送信ステップと、
前記送信されたデータを受信して、視聴者が前記コンテンツを視聴しつつ自分の分身であるアバターを当該コンテンツに投入するために、前記アバターに所望の動作をさせるために前記視聴者の身体各所の動きをセンシングした結果による前記身体各所の動きを含むモーションデータとして操作部で生成された前記第２のデータを少なくとも含むデータを前記記録部へ送信する第２の送信ステップと、
を備えた３次元コンテンツ配信方法。
【請求項７】
仮想的な３次元バーチャル空間を用いたコンテンツを視聴用端末へ配信して視聴に供する、３次元コンテンツ配信方法であって、
（Ａ）前記３次元バーチャル空間に配置された各バーチャルオブジェクトの仕様に関する第１のデータ、および（Ｂ）当該各バーチャルオブジェクトの動作に関する第２のデータを少なくとも含んだコンテンツデータを記録部に記録する記録ステップと、
前記視聴用端末が視聴を行うための要求に応じて、少なくとも前記第１のデータおよび前記第２のデータを含んだデータを送信する第１の送信ステップと、
前記送信されたデータを受信して、視聴者が前記コンテンツを視聴しつつ自身の分身であるアバターを当該コンテンツに投入するために、前記アバターに所望の動作をさせるために前記視聴者の身体各所の動きをセンシングした結果による前記身体各所の動きを含むモーションデータとして操作部で生成された前記第２のデータを少なくとも含むデータを前記記録部へ送信する第２の送信ステップと、
を備えるとともに、前記記録ステップは、前記第２の送信ステップ、で送信されたデータに基づいて前記コンテンツデータを改変した新たなコンテンツデータを記録するよう構成された３次元コンテンツ配信方法。
【請求項８】
前記記録ステップがさらに、（Ｃ）前記３次元バーチャル空間に配置された仮想的カメラの視点に関する第３のデータを記録するよう構成された請求項６または７に記載の３次元コンテンツ配信方法。
【請求項９】
前記視聴を行っている視聴用端末からの変更要求に応じて前記第１のデータ、および前記第２のデータの内の少なくともいずれかを追加または修正する変更を行って新たなコンテンツデータを生成し、以後の前記視聴に供する変更受付ステップを備えた、請求項６乃至８の内のいずれか１項に記載の３次元コンテンツ配信方法。
【請求項１０】
前記視聴を行っている視聴用端末からの変更要求に応じて前記第１のデータ、および前記第２のデータの内の少なくともいずれかを追加または修正する変更を行って新たなコンテンツデータを生成し、以後の前記視聴に供する変更受付ステップを備え、
前記変更受付ステップはさらに、前記第３のデータを追加または修正する変更を行って新たなコンテンツデータを生成し、以後の前記視聴に供するよう構成された、請求項８に記載の３次元コンテンツ配信方法。
【請求項１１】
諸求項６乃至１０のいずれか１項に記載の３次元コンテンツ配信方法が備える前記各ステップをコンピュータに実行させるコンピュータプログラム。
【手続補正２】
【補正対象書類名】明細書
【補正対象項目名】００１３
【補正方法】変更
【補正の内容】
【００１３】
上記の課題を解決するために、本発明は、下記の1)〜11)に記載の3次元コンテンツ配信システム、３次元コンテンツ配信方法、コンピュータプログラムを提供する。
１）
仮想的な３次元バーチャル空間を用いたコンテンツを視聴用端末へ配信して視聴に供する、３次元コンテンツ配信システムであって、
（Ａ）３次元バーチャル空間に配置された各バーチャルオブジェクトの仕様に関する第１のデータ、および（Ｂ）当該各バーチャルオブジェクトの動作に関する第２のデータを少なくとも含んだコンテンツデータを記録する記録部と、
視聴用端末が視聴を行うための要求に応じて、少なくとも第１のデータおよび第２のデータを含んだデータを送信する第１の送信部と、
送信されたデータを受信して、視聴者がコンテンツを視聴しつつ自分の分身であるアバターを当該コンテンツに投入するために、アバターに所望の動作をさせるために視聴者の身体各所の動きをセンシングした結果による身体各所の動きを含むモーションデータとして操作部で生成された第２のデータを少なくとも含むデータを記録部へ送信する第２の送信部と、
を備えた３次元コンテンツ配信システム。
２）
仮想的な３次元バーチャル空間を用いたコンテンツを視聴用端末へ配信して視聴に供する、コンテンツ配信システムであって、
（Ａ）３次元バーチャル空間に配置された各バーチャルオブジェクトの仕様に関する第１のデータ、および（Ｂ）当該各バーチャルオブジェクトの動作に関する第２のデータを少なくとも含んだコンテンツデータを記録する記録部と、
視聴用端末が視聴を行うための要求に応じて、少なくとも第１のデータおよび第２のデータを含んだデータを送信する第１の送信部と、
送信されたデータを受信して、視聴者がコンテンツを視聴しつつ自分の分身であるアバターを当該コンテンツに投入するために、アバターに所望の動作をさせるために視聴者の身体各所の動きをセンシングした結果による身体各所の動きを含むモーションデータとして操作部で生成された第２のデータを少なくとも含むデータを記録部へ送信する第２の送信部と、
を備えるとともに、記録部は、第２の送信部が送信したデータに基づいてコンテンツデータを改変した新たなコンテンツデータを記録するよう構成された３次元コンテンツ配信システム。
３）
記録部がさらに、（Ｃ）３次元バーチャル空間に配置された仮想的カメラの視点に関する第３のデータを記録するよう構成された、１）または２）に記載の３次元コンテンツ配信システム。
４）
視聴を行っている視聴用端末からの変更要求に応じて第１のデータ、および第２のデータの内の少なくともいずれかを追加または修正し変更を行って新たなコンテンツデータを生成し、以後の視聴に供する変更受付部を備えた１）乃至３）のいずれか１項に記載の３次元コンテンツ配信システム。
５）
視聴を行っている視聴用端末からの変更要求に応じて第１のデータ、および第２のデータの内の少なくともいずれかを追加または修正し変更を行って新たなコンテンツデータを生成し、以後の視聴に供する変更受付部を備え、変更受付部はさらに、第３のデータを追加または修正する変更を行って新たなコンテンツテータを生成し、以後の視聴に供するよう構成された、３）に記載の３次元コンテンツ配信システム。
６）
仮想的な３次元バーチャル空間を用いたコンテンツを視聴用端末へ配信して視聴に供する、３次元コンテンツ配信方法であって、
（Ａ）３次元バーチャル空間に配置された各バーチャルオブジェクトの仕様に関する第１のデータ、および（Ｂ）当該バーチャルオブジェクトの動作に関する第２のデータを少なくとも含んだコンテンツデータを記録部に記録する記録ステップと、
視聴用端末が視聴を行うための要求に応じて、少なくとも第１のデータおよび第２のデータを含んだデータを送信する第１の送信ステップと、
送信されたデータを受信して、視聴者がコンテンツを視聴しつつ自分の分身であるアバターを当該コンテンツに投入するために、アバターに所望の動作をさせるために視聴者の身体各所の動きをセンシングした結果による身体各所の動きを含むモーションデータとして操作部で生成された第２のデータを少なくとも含むデータを記録部へ送信する第２の送信ステップと、
を備えた３次元コンテンツ配信方法。
７）
仮想的な３次元バーチャル空間を用いたコンテンツを視聴用端末へ配信して視聴に供する、３次元コンテンツ配信方法であって、
（Ａ）３次元バーチャル空間に配置された各バーチャルオブジェクトの仕様に関する第１のデータ、および（Ｂ）当該各バーチャルオブジェクトの動作に関する第２のデータを少なくとも含んだコンテンツデータを記録部に記録する記録ステップと、
視聴用端末が視聴を行うための要求に応じて、少なくとも第１のデータおよび第２のデータを含んだデータを送信する第１の送信ステップと、
送信されたデータを受信して、視聴者がコンテンツを視聴しつつ自身の分身であるアバターを当該コンテンツに投入するために、アバターに所望の動作をさせるために視聴者の身体各所の動きをセンシングした結果による身体各所の動きを含むモーションデータとして操作部で生成された第２のデータを少なくとも含むデータを記録部へ送信する第２の送信ステップと、
を備えるとともに、記録ステップは、第２の送信ステップ、で送信されたデータに基づいてコンテンツデータを改変した新たなコンテンツデータを記録するよう構成された３次元コンテンツ配信方法。
８）
記録ステップがさらに、（Ｃ）３次元バーチャル空間に配置された仮想的カメラの視点に関する第３のデータを記録するよう構成された６）または７）に記載の３次元コンテンツ配信方法。
９）
視聴を行っている視聴用端末からの変更要求に応じて第１のデータ、および第２のデータの内の少なくともいずれかを追加または修正する変更を行って新たなコンテンツデータを生成し、以後の視聴に供する変更受付ステップを備えた、６）乃至８）の内のいずれか１項に記載の３次元コンテンツ配信方法。
１０）
視聴を行っている視聴用端末からの変更要求に応じて第１のデータ、および第２のデータの内の少なくともいずれかを追加または修正する変更を行って新たなコンテンツデータを生成し、以後の視聴に供する変更受付ステップを備え、変更受付ステップはさらに、第３のデータを追加または修正する変更を行って新たなコンテンツデータを生成し、以後の視聴に供するよう構成された、８）に記載の３次元コンテンツ配信方法。
１１）
６）乃至１０）のいずれか１項に記載の３次元コンテンツ配信方法が備える各ステップをコンピュータに実行させるコンピュータプログラム。